(57)【特許請求の範囲】
【請求項１】
ポータブル電子デバイス（２）とモバイル電子デバイス（３）とを備える心電図の取得を制御するための電子システム（１）であって、
前記モバイル電子デバイスは、
人体の一部分のリアルタイム画像を取得するための光学デバイス（３−１）と、
スクリーン（３−２）と、
前記光学デバイスと前記スクリーンとに接続される処理ユニット（３−３）と、
を備えており、
前記ポータブル電子デバイス（２）は、
それぞれの点において人間の心臓の活動によって皮膚上に生成される電流をそれぞれ表している第一検出電気信号（Ｓ１＿ｒ）、第二検出電気信号（Ｓ２＿ｒ）および第三検出電気信号（Ｓ３＿ｒ）を生成するように構成される第一電極（２−１）、第二電極（２−２）および第三電極（２−３）であって、前記第一電極、前記第二電極および前記第三電極が前記人体の前記一部分に配置されている第一電極（２−１）、第二電極（２−２）および第三電極（２−３）
を備えており、
前記モバイル電子デバイスの前記処理ユニットは、前記第一電極、前記第二電極および前記第三電極に対する電極配置案内モジュール（３−３．１）を備えており、前記電極配置案内モジュールが
前記人体の前記一部分を表す複数のリアルタイム画像（Ｉ１，Ｉ２・・・Ｉｎ）を受信し、
前記複数のリアルタイム画像の少なくとも一部において前記人体の前記一部分の特徴を特定し、
前記特定された特徴の関数として、前記第一電極、前記第二電極および前記第三電極を貼り付ける前記人体の前記一部分の位置を計算し、
前記第一電極、前記第二電極および前記第三電極を貼り付ける前記計算された位置を示す情報を伝達する駆動信号（Ｓ＿ｐｌ）を生成する
よう構成されており、
前記スクリーンは、
前記駆動信号を受信し、
前記人体の前記一部分を表すとともに、前記第一電極、前記第二電極および前記第三電極を貼り付ける位置をそれぞれ表す第一位置決めマーク（Ａ１）、第二位置決めマーク（Ａ２）および第三位置決めマーク（Ａ３）をさらに含むリアルタイム画像（Ｉ＿ｐｓ＿ｅｌ）を表示する
よう構成され、
前記人体の前記一部分は、両肩、胸部、腹部および骨盤を含み、
前記第一位置決めマークは、前記第一電極（２−１）を貼り付ける第一位置決め領域（Ａ１）であって、左肩の近傍の前記胸部に位置しており、
前記第二位置決めマークは、前記第二電極（２−２）を貼り付ける第二位置決め領域（Ａ２）であって、右肩の近傍の前記胸部に位置しており、
前記第三位置決めマークは、前記第三電極（２−３）を貼り付ける第三位置決め領域（Ａ３）であって、左脚の近傍の前記腹部に位置しており、
前記人体の前記一部分の前記特徴は、二つの肩のうちの一方であり、
前記電極配置案内モジュールは、
前記人体の前記両肩、前記胸部、前記腹部および前記骨盤を表す前記複数のリアルタイム画像を受信し、
前記複数のリアルタイム画像の少なくとも一部において前記両肩の前記位置を特定し、
前記複数のリアルタイム画像の少なくとも一部の関数として前記両肩の幅（ｘ）を計算し、
前記両肩の前記幅（ｘ）と第一パラメータ（ｋ）の値との関数として、前記第一位置決め領域と右肩の端部との間および前記第二位置決め領域と左肩の端部との間の第一距離（ｙ１）を計算し、
前記骨盤の幅（ｚ）を計算し、
前記骨盤の前記幅（ｚ）と第二パラメータ（ｒ）の値との関数として、前記第三位置決め領域と左側骨盤の端部との間の第二距離（ｔ１）を計算し、
前記両肩の前記幅（ｘ）の半分を中心としたある範囲内にある値（ｘ／２）と同等な前記第三位置決め領域と前記第一位置決め領域との間の第三距離（ｈ）を計算し、
前記第一距離、前記第二距離および前記第三距離を示す情報を伝達する前記駆動信号を生成する
よう構成されており、
前記スクリーンは、前記駆動信号を受信し、前記人体の少なくとも前記胸部を表す前記リアルタイム画像を表示するよう構成されており、前記リアルタイム画像は、
前記第一距離によって特定される位置を含む前記第一位置決め領域および前記第二位置決め領域と、
前記第二距離および前記第三距離によって特定される位置を含む第三位置決め領域と、
を含んでいる電子システム。
【請求項２】
請求項１に記載の電子システムであって、
前記モバイル電子デバイスはさらに、前記処理ユニット（３−３）に接続される短距離無線信号（Ｓ２＿ｒ＿ｓｄ）のトランシーバー（３−４）を備えており、
前記ポータブル電子デバイスはさらに、
短距離無線信号のトランシーバー（２−５）と、
前記トランシーバーと、前記第一電極（２−１）、前記第二電極（２−２）および前記第三電極（２−３）と、に接続される処理ユニット（２−６）と、
を備えており、
前記ポータブル電子デバイスの前記処理ユニットは、前記第一電極、前記第二電極および前記第三電極の前記配置の検証モジュール（２−６．１）を備えており、前記電極配置の前記検証モジュールが
前記第一電極、前記第二電極および前記第三電極によってそれぞれ生成される前記第一検出電気信号、前記第二検出電気信号および前記第三検出電気信号を受信し、
前記第二検出電気信号（Ｓ２＿ｒ）と前記第一検出電気信号（Ｓ１＿ｒ）との間の第一電位差と等しい第一リード（ＤＩ）を計算し、
前記第三検出電気信号（Ｓ３＿ｒ）と前記第一検出電気信号（Ｓ１＿ｒ）との間の第二電位差と等しい第二リード（ＤＩＩ）を計算し、
前記第三検出電気信号（Ｓ３＿ｒ）と前記第二検出電気信号（Ｓ２＿ｒ）との間の第三電位差と等しい第三リード（ＤＩＩＩ）を計算し、
前記第二電位差と前記第一電位差との間の差（ＤＩＩ−ＤＩ）と等しい差を計算し、
前記計算された差と前記第三電位差との間の差の絶対値が許容値より小さいか否かを検証し、
前記計算された差と前記第三電位差との間の差の絶対値が許容値より小さいと検証された場合には、前記第一電極、前記第二電極および前記第三電極の前記配置が正しいことを示す位置決め検証信号（Ｓ＿ｖ＿ｐｓ）を生成し、
前記計算された差と前記第三電位差との間の差の絶対値が許容値より小さいとは検証されなかった場合には、前記第一電極、前記第二電極および前記第三電極のうち少なくとも一つの電極の前記配置が正しくないことを示す前記位置決め検証信号を生成する
よう構成されており、
前記ポータブル電子デバイスの前記トランシーバー（２−５）は、前記位置決め検証信号を受信し、そこから前記第一電極、前記第二電極および前記第三電極の前記配置が正しいことを示すまたは前記第一電極、前記第二電極および前記第三電極のうち少なくとも一つの電極の前記配置が正しくないことを示す情報を伝達する短距離無線信号（Ｓ１＿ｓ＿ｒｄ）を生成するよう、構成されており、
前記モバイル電子デバイスの前記トランシーバー（３−４）は、前記配置が正しいまたは正しくないことを示す前記情報を伝達する短距離無線信号（Ｓ２＿ｓ＿ｒｄ）を受信し、そこから前記配置が正しいまたは正しくないことを示す前記情報を伝達する内部信号（Ｓ＿ｉｎｔ）を生成するよう、構成されており、
前記モバイル電子デバイスの前記スクリーンは、前記内部信号を受信し、前記第一電極、前記第二電極および前記第三電極の前記配置が正しいことを表すもしくは前記第一電極、前記第二電極および前記第三電極のうち少なくとも一つの電極の前記配置が正しくないことを示す図式または文字表示を表示するよう、構成される電子システム。
【請求項３】
請求項２に記載の電子システムであって、
前記ポータブル電子デバイスの前記処理ユニットはさらに、心拍数検出モジュール（２−６．２）をさらに備えており、前記心拍数検出モジュールは、
前記第一検出電気信号、前記第二検出電気信号および前記第三検出電気信号を受信し、それらの関数として、二つの連続するＲ波の間の距離と所定の時間間隔におけるそれぞれの振幅値とを測定し、
前記Ｒ波の前記振幅値が第一振幅閾値より小さい場合、前記人体の心臓の心循環器系停止の発生を示す第一値を含む心拍数検出信号（Ｓ＿ｒ＿ｆｃ）を生成し、
前記Ｒ波の前記振幅値が前記第一振幅閾値と前記第一振幅閾値より大きい第二振幅閾値との間にある場合であって、かつ前記距離の値が第一距離閾値より小さい場合、前記人体の前記心臓の心室細動の発生を示す第二値を含む前記心拍数検出信号（Ｓ＿ｒ＿ｆｃ）を生成し、
前記距離の前記値が前記第一距離閾値と前記第一距離閾値より大きい第二距離閾値との間にある場合、前記人体の前記心臓の心室頻脈の発生を示す第三値を含む前記心拍数検出信号（Ｓ＿ｒ＿ｆｃ）を生成する
よう構成されており、
前記ポータブル電子デバイスの前記トランシーバー（２−５）は、前記心拍数検出信号を受信し、そこから前記心循環器系停止の前記発生、前記心室細動の前記発生または前記心室頻脈の前記発生を示す情報を伝達する前記短距離無線信号（Ｓ１＿ｓ＿ｒｄ）を生成するよう、構成されており、
前記モバイル電子デバイスの前記トランシーバー（３−４）は、心循環器系停止の前記発生、前記心室細動の前記発生または前記心室頻脈の前記発生を示す情報を伝達する短距離無線信号（Ｓ２＿ｓ＿ｒｄ）を受信し、そこから前記心循環器系停止の前記発生、前記心室細動の前記発生または前記心室頻脈の前記発生を示す前記情報を伝達する内部信号（Ｓ＿ｉｎｔ）を生成するよう、構成されており、
前記モバイル電子デバイスは、心肺蘇生術に関する案内手順を表すビデオを記憶するメモリ（３−５）を備えており、前記ビデオは、前記人体の胸骨に置くべき手の位置と前記手で前記胸骨に加える圧迫のタイミングとを表す一連の画像を含んでおり、
前記モバイル電子デバイスの前記処理ユニットは、手配置案内モジュール（３−３．２）を備えており、前記手配置案内モジュールは、
前記心循環器系停止、前記心室細動または前記心室頻脈の前記発生を示す前記情報を受信し、
前記人体の少なくとも前記胸部を表す前記複数のリアルタイム画像（Ｉ１，Ｉ２・・・Ｉｎ）を受信し、
前記複数のリアルタイム画像において前記人体の前記一部分の前記特徴を特定し、
前記特定された特徴の関数として、前記第一電極および前記第二電極を貼り付ける前記人体の前記胸部上の位置を計算し、
前記人体の前記心臓の心肺蘇生術の一連の手の動きを実行するために、前記第一電極および前記第二電極の前記計算された位置の関数として、前記手を前記人体の前記胸部に置くべき位置を計算し、
前記心循環器系停止の前記発生、前記心室細動の前記発生または前記心室頻脈の前記発生を示し、前記手の前記計算された位置を示す前記駆動信号（Ｓ＿ｐｌ）を生成し、
前記心肺蘇生術の前記一連の手の動き表す前記ビデオを前記メモリから読み取り、
前記心肺蘇生術ビデオをさらに伝達する前記駆動信号を生成する
よう構成されており、
前記モバイル電子デバイスの前記スクリーン（３−２）は、
前記駆動信号を受信し、
心循環器系停止の発生、心室細動の発生または心室頻脈の発生を表す図式または文字表示を表示し、
前記人体の前記胸部を表すとともに前記手を置くべき位置を表す第四位置決め領域をさらに含む画像を表示し、
前記心肺蘇生術ビデオを表示する
よう構成される電子システム。
【請求項４】
請求項２または３に記載の電子システムであって、
前記ポータブル電子デバイスは、利得制御信号（Ｓ＿ｃｔｒｌ＿ｇ）の関数として利得変数を有する増幅回路（２−８）を備えており、前記増幅回路は、前記第一検出電気信号、前記第二検出電気信号および前記第三検出電気信号を受信し、そこから第一増幅信号、第二増幅信号および第三増幅信号（Ｖ１＿ａ、Ｖ２＿ａ、Ｖ３＿ａ）をそれぞれ生成するよう、構成されており、
前記電極配置検証モジュール（２−６．１）はさらに、前記第一電位差、前記第二電位差および前記第三電位差の前記値の関数として、前記利得制御信号の前記値を調整するよう構成される電子システム。
【請求項５】
請求項２から４のいずれかに記載の電子システムであって、
前記ポータブル電子デバイスの前記処理ユニットはさらに、安定した身体状態にある患者の第一心電図のトラックの値と心臓血管症状の状態にある患者の第二心電図のトラックの値とを伝達する心電図信号（Ｓ＿ｅｃｇ）を生成するよう構成される心電図生成モジュール（２−６．３）をさらに備えており、
前記ポータブル電子デバイスの前記トランシーバー（２−５）は、前記心電図信号を受信し、そこから前記第一心電図および前記第二心電図の前記トラックの前記値を示す前記情報を伝達するとともに前記第二心電図と関連付けられる症状を示す情報を伝達する前記短距離無線信号（Ｓ１＿ｓ＿ｒｄ）を生成するよう、構成されており、
前記モバイル電子デバイスの前記トランシーバー（３−４）は、前記第一心電図および前記第二心電図の前記トラックの前記値を示す前記情報を伝達するとともに前記症状を示す情報を伝達する短距離無線信号（Ｓ２＿ｓ＿ｒｄ）を受信するよう構成されており、
前記モバイル電子デバイスの前記スクリーンは、前記第一心電図および前記第二心電図の前記トラックを表示するように構成されており、
前記モバイル電子デバイスはさらに、前記第一心電図および前記第二心電図の前記トラックの前記値を示す前記情報を伝達するとともに前記第二心電図と関連付けられる前記症状を示す前記情報を伝達する長距離無線信号（Ｓ＿ｌｄ）を医療センタまたは救急車管理用中央救急ユニットに送信するよう構成される長距離無線信号トランシーバー（３−６）を備える電子システム。
【請求項６】
請求項５に記載の電子システムであって、
前記スクリーンは、単一のスクリーンショット上に少なくとも前記心電図の三つのリードの前記トラックを表示するよう構成されており、
前記モバイル電子デバイスは、
スマートフォン、
タブレット、
ラップトップ・コンピュータ
から選択されるデバイスであり、
カメラが、
前記スマートフォンの前側または後側に、
前記タブレットの前側に、
前記ラップトップ・コンピュータのスクリーンの上方に、
配置されており、
前記短距離無線信号はＢｌｕｅｔｏｏｔｈ（登録商標）タイプである電子システム。
【請求項７】
請求項１から６のいずれかに記載の電子システムであって、
前記第一位置決め領域、前記第二位置決め領域および前記第三位置決め領域の形状は、
互いに重ならない第一長方形、第二長方形および第三長方形であって、前記第一長方形は前記第二長方形と並んで配置されている形状、
互いに重ならない第一円、第二円および第三円であって、前記第一円は前記第二円と並んで配置されている形状、
から選択される電子システム。
【請求項８】
心電図の取得を制御する方法であって、
ａ）第一電極（２−１）、第二電極（２−２）および第三電極（２−３）がそれぞれ人体の一部分に配置されている点における人間の心臓の活動によって皮膚上に生成される電流を表している第一検出電気信号（Ｓ１＿ｒ）、第二検出電気信号（Ｓ２＿ｒ）および第三検出電気信号（Ｓ３＿ｒ）を生成する工程と、
ｂ）前記第二検出電気信号（Ｓ２＿ｒ）と前記第一検出電気信号（Ｓ１＿ｒ）との間の第一電位差と等しい第一リード（ＤＩ）を計算する工程と、
ｃ）前記第三検出電気信号（Ｓ３＿ｒ）と前記第一検出電気信号（Ｓ１＿ｒ）との間の第二電位差と等しい第二リード（ＤＩＩ）を計算する工程と、
ｄ）前記第三検出電気信号（Ｓ３＿ｒ）と前記第二検出電気信号（Ｓ２＿ｒ）との間の第三電位差と等しい第三リード（ＤＩＩＩ）を計算する工程と、
ｅ）前記第二電位差と前記第一電位差との間の差（ＤＩＩ−ＤＩ）と等しい差を計算する工程と、
ｆ）前記計算された差と前記第三電位差との間の差の絶対値が許容値より小さいか否かを検証する工程と、
ｇ）前記計算された差と前記第三電位差との間の差の絶対値が許容値より小さいと検証された場合には、前記第一電極、前記第二電極および前記第三電極の配置が正しいことを検出する（Ｓ＿ｖ＿ｐｓ）工程と、
ｈ）前記計算された差と前記第三電位差との間の差の絶対値が許容値より小さいとは検証されなかった場合には、前記第一電極、前記第二電極および前記第三電極のうち少なくとも一つの電極の配置が正しくないこと検出する工程と、
を含む方法。
【請求項９】
少なくとも一つのコンピュータ上で実行される場合、請求項８の方法の工程ｂ）〜工程ｈ）を実行するよう構成されるソフトウェアコード部分を含むコンピュータ・プログラム。
【請求項１０】
心電図の取得を制御する方法であって、
ａ）人体の一部分を表す複数のリアルタイム画像（Ｉ１，Ｉ２・・・Ｉｎ）を受信する工程と、
ｂ）前記複数のリアルタイム画像において前記人体の前記一部分の特徴を特定する工程と、
ｃ）前記特定された特徴の関数として、第一電極、第二電極および第三電極を貼り付ける前記人体の前記一部分の位置を計算する工程と、
ｄ）前記人体の前記一部分を表すとともに、前記第一電極、前記第二電極および前記第三電極を貼り付ける位置をそれぞれ表す第一位置決めマーク（Ａ１）、第二位置決めマーク（Ａ２）および第三位置決めマーク（Ａ３）をさらに含むリアルタイム画像（Ｉ＿ｐｓ＿ｅｌ）を表示する工程と、
を含み、
工程ａ）は、前記人体の両肩、胸部、腹部および骨盤を表す前記複数のリアルタイム画像（Ｉ１，Ｉ２・・・Ｉｎ）を受信する工程を含み、
工程ｂ）は、前記複数のリアルタイム画像の少なくとも一部において前記両肩の位置を特定する工程を含み、
工程ｃ）は、
ｃ１）前記複数のリアルタイム画像の少なくとも一部の関数として前記両肩の幅（ｘ）を計算する工程と、
ｃ２）前記両肩の幅（ｘ）と第一パラメータ（ｋ）の値との関数として、第一位置決め領域と右肩の端部との間および第二位置決め領域と左肩の端部との間の第一距離（ｙ１）を計算する工程と、
ｃ３）前記骨盤の幅（ｚ）を計算する工程と、
ｃ４）前記骨盤の前記幅（ｚ）と第二パラメータ（ｒ）の値との関数として、第三位置決め領域と左側骨盤の端部との間の第二距離（ｔ１）を計算する工程と、
ｃ５）前記両肩の前記幅（ｘ）の半分を中心としてある範囲に含まれる値（ｘ／２）と等しい前記第三位置決め領域と前記第一位置決め領域との間の第三距離（ｈ）を計算する工程と、
を含んでおり、
工程ｄ）は、前記人体の少なくとも前記胸部を表す前記リアルタイム画像（Ｉ＿ｐｓ＿ｅｌ）を表示する工程を含み、該工程はさらに、
左肩の近傍の前記胸部に位置しているとともに前記第一電極（２−１）を貼り付ける前記第一位置決め領域（Ａ１）で構成され、前記第一距離によって特定される位置を含んでいる前記第一位置決めマークと、
右肩の近傍の前記胸部に位置しているとともに前記第二電極（２−２）を貼り付ける前記第二位置決め領域（Ａ２）で構成され、前記第一距離によって特定される位置を含んでいる前記第二位置決めマークと、
左脚の近傍の前記腹部に位置しているとともに前記第三電極（２−３）を貼り付ける前記第三位置決め領域（Ａ３）で構成され、前記第二距離によって、および前記第三距離によって特定される位置を含んでいる前記第三位置決めマークと、
を表示する方法。
【請求項１１】
少なくとも一つのコンピュータ上で実行される場合、請求項１０の方法の工程を実行するよう構成されるソフトウェアコード部分を含むコンピュータ・プログラム。
【発明の詳細な説明】
【技術分野】
【０００１】
本発明は、心電図の取得を制御するための電子システムに関する。
【背景技術】
【０００２】
心電図（ＥＣＧ）は心血管疾患の有無の判断に非常に重要である。
【０００３】
例えば、心電図に基づいて、急性心筋梗塞の有無を判断、乏血の場所の特定、不整頻拍の有無の診断、および心不全の患者の治療の観察を行うことができる。
【０００４】
心電図では、細胞膜と隣接細胞との間に流れる経膜的なイオン電流の存在が利用される。これらの電流は、活性化によっておよび心臓回復のシーケンスによって同期し、心臓の内部および心臓の周辺に電界を生成する。
【０００５】
前記電界は、心臓周期において時間とともに変化し、肺、血液、骨格筋および皮膚など心臓に隣接している構造に伝達される。
【０００６】
皮膚に達した電流は心電図の振幅軌跡（トラック）の生成のために利用され、そして前記電流が皮膚に適切に置かれた電極を用いて検出される。
【０００７】
特に、病院環境において行われる心電図は、１０個の電極と、１２個の単極リード、前胸単極リードおよび双極リードを用いる。
【０００８】
リードによって生成された信号の記録から得られたトラックによって心電図が表される。
【０００９】
双極リードは、二つの電極間の電位差を測定する。一方の電極は正とされ、もう一方はとされる負電極とされる。特に、左腕（正極）と右腕（負極）との間の、左脚（正極）と右腕（負極）との間、および左脚（正極）と左腕（負極）との間の電位差が測定される。
【００１０】
一方、単極リードは、電極が貼り付けられた点の電位を測定し、電極は典型的には前胸部(precordium)の領域に、心臓の前方周辺（フロント・マージン）回りでその先端まで配置される。
【００１１】
さらに、双極リードから得られる「ブースト(boosted)」として知られる三つの単極リードを得ることができる。
【００１２】
安定した身体状態においては人のそれぞれの心臓周期が以下の時間的順序で心電図振幅軌跡を描くことが知られている。
【００１３】
心臓心房の減極を表すＰ波、
ＱＲＳ群（心室の減極を表す一セットの三つの波である）、
心室の再極化を表すＴ波、
乳頭筋の再極化を表すＵ波（必ずしも検知できるとは限らない）。
【００１４】
１０個の電極を特定の解剖学的位置に配置しなければならず、それは特に非医学的な人員にとって認識するすなわち特定するのに必ずしも容易であるとは限らない。
【００１５】
ある研究では、１０個の電極で得られる心電図に対して統計的に同等な特定性および感度を有する心電図を取得するのに四つの電極で十分であることが実証されている（グリーンらのこの内容は米国心臓学ジャーナル２００４年第９４巻１５２９頁〜１５３３頁(American Journal of Cardiology, 2004, 94:1529-1533)を参照）。
【００１６】
現代の心臓学において最も大きな課題のうちの一つは、症状の有無と、それと関係する目的医療テキスト(objective medical texts)の現代ドキュメンテーション(contemporary documentation)と、の間でしばしば生じる解離に関係がある。
【００１７】
ときとして発症する心臓血管の条件を診断するための従来の方法（１２個の標準的リードを用いるＥＣＧ、ホルター法に続いての２４時間連続ＥＣＧ、または７〜３０日の間の外部モニタによる記録）の使用も、多くの場合、期待外れの結果であった。最近の研究でも、７日にわたる連続的な観察でさえ、患者が初めに苦痛を訴える症状を引き起こす心臓血管の条件の抽出強調にいかに成功しなかったのかを示している。
【００１８】
これらの複雑な諸問題の一部への解決法は、心臓の電気的活動の連続的に記録動作する皮下に埋設可能な装置の導入によって提供されている。しかしながら、すべてが解決するわけではなく、埋没物（インプラント）は侵襲法を用いて取り付けられ、一時的な心筋虚血の識別には有用ではなく、限られた埋設期間ではなく長期でないと苦痛を訴える症状が現われることが保証されない。
【００１９】
したがって、心電計トラックを特定病理学的異常状態に関連付けるよう、急性病理学的異常状態が生じるまさにその瞬間にトラックを取得できる装置が直ちに必要とされることが理解されよう。
【００２０】
米国特許第８５０９８８２号明細書には、Ｂｌｕｅｔｏｏｔｈ（登録商標）技術を用いて、スマートフォンに心電図を表す信号を送信し、前記信号をスクリーンに表示させる装置が開示されている。
【００２１】
墨国特許出願公開第２０１３００１００１号明細書には、１２個のリードを有し、携帯電話に心電図を送信するＢｌｕｅｔｏｏｔｈ（登録商標）通信モジュールを備え、携帯電話に心電図のトラックを三つ同時に表示させる、心電図のモニタ装置が開示されている。
【００２２】
米国特許第８００５５３１号明細書には、患者の心電図信号を処理するための装置が開示されている。この装置は、それぞれが測定可能なまたは導出可能な１２個のリードを分析するために専用に設計された複数のアルゴリズムを用いる。
【００２３】
米国特許第６２８２４４０号明細書には、八つの電極によって生成された信号の解析を用いて心電図の電極が正しく配置されているか否かを判断する方法が開示されている。特に、共分散行列は八つのチャネルの関数として計算され、共分散行列の固有ベクトル(the self-vectors)の解が計算され、固有ベクトルと原ベクトル(original vectors)との間の角度(corners)が計算される。角度(angles)の値は、角度の基準セットと比較され、この比較の関数として、電極が正しく配置されているか否かが判断される。
【００２４】
心臓の電気的活動を取得するために電極を正しく位置決めすることは重要である。正しく位置決めできなければ、取得した心電図記録のトラックは不正確となり、つまり、心血管疾患の擬似兆候が生成される虞がある。
【００２５】
例えば、電極が十分に患者の皮膚に密着していな可能性があり、あるいは逆になっている可能性もある。
【００２６】
二つの電極が逆になっている場合、心房および心室の減極が変化していることを示すトレーシングの原因となり得、したがって、減極の変化の擬似兆候が出る虞がある。
【００２７】
心肺蘇生術は、心循環器系停止の状態にある患者の第一の救助法である。
【００２８】
心循環器系停止の状況にある患者の生存は、心循環器系停止の状況の迅速な認識、患者の胸部上への手の正しい配置、および体外式心臓マッサージの速さにかかっている（ミーニーＰら、アメリカ心臓協会（ＡＨＡ）コンセンサスステートメント：心肺蘇生の質：院内および院外における心蘇生転帰の改善、サーキュレーション２０１３年第１２８巻４１７〜４３５頁(Meaney P. et al., AHA consensus statement; Cardiopulmonary Resuscitation Quality; Improvement Cardiac Resuscitation Outcomes Both Inside and Outside the hospital, Circ. 2013, 128:417-435))。
【００２９】
本出願人は、既知の装置が
電極の配置の案内が信頼できるものではない
患者の胸部上の電極の正しい配置を実時間（リアルタイム）には検証できない
心臓機能の変化が確認されるときに直ちに心電図の複数のトラックを取得できない
心肺蘇生法の正しい案内を直ちに提供できない
という欠点を有することに気付いた。
【発明の概要】
【００３０】
本発明は、添付の特許請求の範囲における請求項１に定義した心電図の取得を制御するための電子システムに関し、その好ましい態様を従属項２〜８において定義する。
【００３１】
本出願人は、本発明にかかる電子システムが以下の利点を有することを見出した。
【００３２】
患者の特定の身体形状に応じて配置の較正を行うことができるので、信頼できる電極の配置の案内を提供できる。
【００３３】
患者の胸部上の電極の正しい配置を実時間（リアルタイム）に検証できる。
【００３４】
心臓機能の変化が確認されるときに心電図のトラックを直ちに取得できる。
【００３５】
患者の心臓の心循環器系停止、心室頻脈または心室細動の場合に、心肺蘇生法の正しい案内を直ちに提供できる。
【００３６】
また本発明の目的は、添付の特許請求の範囲における請求項９、請求項１１および請求項１２において定義した心電図の取得を制御するための方法を提供することにある。
【００３７】
また本発明の目的は、添付の特許請求の範囲における請求項１０および請求項１３において定義した心電図の電極の配置を制御するためのコンピュータ・プログラムを提供することにある。
【図面の簡単な説明】
【００３８】
本発明のさらなる特徴および利点は、例示として示す、以下の添付の図面を参照する、好ましい実施形態およびその変形の詳細な説明から明らかとなろう。
【図１】本発明にかかる心電図の取得を制御するための電子システムのブロック図を示す。
【図２】図１の電子システムにおいて用いられるポータブル電子デバイスをより詳細に示す。
【図３Ａ】心電図を実行するための胸部上における電極の位置を表す画像を概略的に示す。
【図３Ｂ】図３Ａの電極の位置をより詳細に例示する。
【図３Ｃ】本発明にかかるモバイル電子デバイスのスクリーンに表示される心電図のトラックの一般的なものを示す。
【図４Ａ−Ｄ】本発明にかかる心電図の取得を制御するための方法のフロー図を示す。
【発明を実施するための形態】
【００３９】
以下の説明において、同一または同様なブロック、部品もしくはモジュールには、図面において、本発明の異なる実施態様において例示する場合であっても、同じ参照符号を付していることを付言しておく。
【００４０】
図１に、本発明にかかる心電図の取得を制御するための電子システム１を示す。
【００４１】
電子システム１は、短距離無線通信チャネルを用いて互いに接続されるポータブル電子デバイス２およびモバイル電子デバイス３を備える。
【００４２】
語「短距離」は１０メートル未満の距離を意味する。
【００４３】
モバイル電子デバイス３は、スマートフォン（例えばｉＰｈｏｎｅ（登録商標））、タブレット（例えばｉＰａｄ（登録商標））またはラップトップ・コンピュータとすることができる。
【００４４】
ポータブル電子デバイス２とモバイル電子デバイス３との間の無線接続を行うために用いる技術は、例えばＢｌｕｅｔｏｏｔｈ（登録商標）またはＷｉＦｉ（標準ＩＥＥＥ  ８０２．１１）である。
【００４５】
モバイル電子デバイス３は、
画像を取得するための光学デバイス３−１と、
スクリーン３−２と、
短距離無線信号のトランシーバー３−４と、
処理ユニット３−３と、
長距離信号のトランシーバー３−６と、
を備える。
【００４６】
光学デバイス３−１は、人体の一部分を表す複数のリアルタイム画像Ｉ1，Ｉ2・・・Ｉnを取得する機能を有する。
【００４７】
光学デバイス３−１は、例えばカメラまたはビデオカメラである。
【００４８】
スクリーン３−２は、人体の一部分を表すリアルタイム画像を表示し、文字表示を表示するよう、構成される。以下により詳細に説明する通り、前記画像はさらに、第一電極、第二電極および第三電極を貼り付ける位置をそれぞれ表す第一位置決めマーク、第二位置決めマークおよび第三位置決めマークを含む。
【００４９】
人体の一部分は、例えば、男性の、女性のまたは子どもの、両肩、胸部、腹部および骨盤を含む。
【００５０】
トランシーバー３−４は、ポータブル電子デバイス２と短距離無線信号Ｓ２＿ｒ＿ｓｄを送受信する機能を有する。
【００５１】
長距離信号のトランシーバー３−６は、医療センタまたは救急車管理用中央救急ユニットと長距離信号Ｓ＿ｓｄを送受信する機能を有する。長距離信号は、固定通信網を介して送信できる、または無線移動通信のネットワークを介して無線送信されるタイプにもできる。
【００５２】
処理ユニット３−３は、以下により詳細に説明する通り、人体の心臓の心電図の取得を制御する機能を有する。
【００５３】
処理ユニット３−３は、画像取得光学デバイス３−１と、スクリーン３−２と、トランシーバー３−４と、トランシーバー３−６と、に電気的に接続される。
【００５４】
処理ユニット３−３は、
光学デバイス３−１から取得される複数の画像Ｉ1，Ｉ2・・・Ｉnを受信するよう構成される第一入力端子と、
内部信号Ｓ＿ｉｎｔを送受信するよう構成される入力／出力（Ｉ／Ｏ）端子と、
適切な画像および／または文字表示を見せるためにスクリーン３−２を駆動するための駆動信号Ｓ＿ｐｌを生成するよう構成される第一出力端子と、
を備える。
【００５５】
モバイル電子デバイス３がスマートフォンである場合、光学デバイス３−１は、市場で実際に入手可能なスマートフォンに既に搭載されたカメラである。特に、カメラは、スマートフォンの前側（典型的にはスマートフォンのスクリーンの上方）または後側に配置されている。
【００５６】
ポータブル電子デバイス２は、
第一電極２−１と、
第二電極２−２と、
第三電極２−３と、
短距離無線信号のトランシーバー２−５と、
処理ユニット２−６と、
を備える。
【００５７】
ポータブル電子デバイス２は、処理ユニット２−６を囲繞する閉じたケーシング（例えば、プラスチック材料で形成される）である本体を備える。電極２−１，２−２，２−３は、適当な電気的なケーブルと想定される介在回路とを用いて本体に接続される。
【００５８】
ポータブル電子デバイス２の本体は、寸法がコンパクトであり（例えば、一辺が約６ｃｍの正方形であり）、心電図が実行される人体の近傍に配置される。例えば、本体は、人体の腕に、図３Ａに示す通り特に二頭筋に、（適切な固定する手段、例えばストラップによって）固定される。
【００５９】
第一電極２−１、第二電極２−２および第三電極２−３は、電極２−１，２−２，２−３が配置されるそれぞれの点において、対象の人体の心拍に応じて人体の皮膚に生成される電流に比例したアナログ電圧の変形を検出する接点（例えば抵抗タイプ）である。
【００６０】
図２の説明に関して以下により詳細に説明する通り、それぞれの電極２−１，２−２，２−３によって検出される電流の変化は、ＡＤ変換器を用いてデジタル形式に変換される。
【００６１】
特に、第一電極２−１は、第一電極２−１が人体の対象の部分に配置された点において分析される人間の心臓の活動によって皮膚上に生成される電流を表す第一検出電気信号Ｓ１＿ｒを生成するように構成される。
【００６２】
同様に、第二電極２−２は、第二電極２−２が人体の対象の部分に配置された点において分析される人間の心臓の活動によって皮膚上に生成される電流を表す第二検出電気信号Ｓ２＿ｒを生成するように構成される。
【００６３】
最後に、第三電極２−３は、第三電極２−３が人体の対象の部分に配置された点において分析される人間の心臓の活動によって皮膚上に生成される電流を表す第三検出電気信号Ｓ３＿ｒを生成するように構成される。
【００６４】
好適には、ポータブル電子デバイス２は、基準接地電圧を表す第四電極２−４をさらに備え、皮膚において検出される電流を放電して異なる複数の電極２−１，２−２，２−３と皮膚との間のインピーダンスの差異を最小限にすることを目的としている。
【００６５】
第四電極２−４は、それぞれの電気ケーブルと想定される介在回路を用いて本体に（特に処理ユニット２−６に）接続される。
【００６６】
トランシーバー２−５は、モバイル電子デバイス３と短距離無線信号Ｓ１＿ｒ＿ｓｄを送受信する機能を有する。
【００６７】
処理ユニット２−６は、以下により詳細に説明する通り、人体の心臓の心電図の取得を制御する機能を有する。
【００６８】
処理ユニット２−６は、第一電極２−１と、第二電極２−２と、第三電極２−３と、第四電極２−４と、そしてトランシーバー２−５に電気的に接続される。
【００６９】
処理ユニット２−６は、
第一電極２−１の、第二電極２−２、および第三電極２−３の配置が正しいことを示す位置決め検証信号Ｓ＿ｖ＿ｐｓを生成するよう構成される第一出力端子と、
分析された人体の心臓の心室頻脈または心室細動または心循環器系停止の発生を示す心拍数検出信号Ｓ＿ｒ＿ｆｃを生成するよう構成される第二出力端子と、
分析された人体の心臓の心電図を表すトラックを伝達する心電図信号Ｓ＿ｅｃｇを生成するよう構成される第三出力端子と、
第一検出電気信号Ｓ１＿ｒ、第二検出電気信号Ｓ２＿ｒ、第三検出電気信号Ｓ３＿ｒおよび第四検出電気信号Ｓ４＿ｒをそれぞれ受信するよう構成される第一入力端子、第二入力端子、第三入力端子および第四入力端子と、
を備える。
【００７０】
好ましくは、処理ユニット２−６は、以下により詳細に説明する通り、増幅回路２−８のゲインの値を調整するために利得制御信号Ｓ＿ｃｔｒｌ＿ｇをさらに生成する。
【００７１】
より詳細には、モバイル電子デバイス３の処理ユニット３−３は、
以下に「電極配置案内モジュール３−３．１」として示す、第一電極２−１、第二電極２−２および第三電極２−３（そして第四電極２−４がある場合には第四電極２−４）に関する電極配置案内モジュール３−３．１と、
以下に「手配置案内モジュール」として示す、手の位置決めのための手配置案内モジュール３−３．２と、
を備える。
【００７２】
より詳細には、ポータブル電子デバイス２の処理ユニット２−６は、
以下に「電極配置検証モジュールモジュール２−６．１」として示す、第一電極２−１、第二電極２−２および第三電極２−３（そして第四電極２−４がある場合に第四電極２−４）に関する電極配置検証モジュール２−６．１と、
心拍数検出モジュール２−６．２と、
心電図生成モジュール２−６．３と、
を備える。
【００７３】
電極配置案内モジュール３−３．１は、人体の心臓の心電図を取得する目的で、誰でも人体の一部分（例えば胸部）上に電極２−１，２−２，２−３を位置決めできるよう案内する機能を有する。
【００７４】
なお、心電図を取得する人が必ずしも医者または医療関係者のメンバーである必要はなく、例えば患者自身が心電図を取得する人にもなり得ることを記載しておく。
【００７５】
特に、電極配置案内モジュール３−３．１は、
画像を取得するための光学デバイス３−１から、分析される人体の所定の部分を表す複数のリアルタイム画像Ｉ1，Ｉ2・・・Ｉnを受信し、
前記複数の画像Ｉ1，Ｉ2・・・Ｉnの少なくとも一部において人体の一部分の特徴を特定し、
特定された特徴の関数として、第一電極２−１、第二電極２−２および第三電極２−３を貼り付ける分析される人体の対象の部分の位置を計算し、
第一電極２−１、第二電極２−２および第三電極２−３を貼り付ける、計算された位置を示す情報を伝達する駆動信号Ｓ＿ｐｌを生成する
よう構成される。
【００７６】
語「人体の一部分の特徴を特定する」は、適当な画像処理アルゴリズムを用いて、人体の特徴を認識することを意味するよう用いる。
【００７７】
前記認識アルゴリズムは、例えば、調査する特徴の形状、寸法、相対的な位置を分析し、それらのどれが最も近いかを調べる目的でそれらを複数の予め定義されたテンプレートに対して比較する。
【００７８】
認識アルゴリズムは、幾何学的なタイプまたは統計的なタイプとできる。
【００７９】
認識アルゴリズムのいくつかの例として、
部分空間（サブスペース）に基づく方法、
ニューラルネットワーク
変形可能なモデル（デフォーマブル・モデル）、
「サポートベクターマシン」、
「隠れマルコフモデル」
が挙げられる。
【００８０】
好ましくは、人体の一部分の特定される特徴は人間の肩である。
【００８１】
したがって、図３Ａに示す通り、モバイル電子デバイス３のスクリーン３−２は、駆動信号Ｓ＿ｐｌを受信し、分析された人体の対象の部分を表す電極位置決めリアルタイム画像Ｉ＿ｐｓ＿ｅｌを表示するよう構成される。前記電極位置決め画像Ｉ＿ｐｓ＿ｅｌは、さらに、
第一電極２−１を貼り付ける位置を表す第一位置決めマークと、
第二電極２−２を貼り付ける位置を表す第二位置決めマークと、
第三電極２−３を貼り付ける位置を表す第三位置決めマークと、
第四電極２−４を貼り付ける位置を表す第四位置決めマークと、
を含む。
【００８２】
好ましくは、第一、第二、第三、第四位置決めマークは、それぞれの位置決め領域Ａ１，Ａ２，Ａ３，Ａ４によって構成される。この場合、電極位置決め画像Ｉ＿ｐｓ＿ｅｌは、内側に第一電極２−１が配置されなければならない第一位置決め領域Ａ１と、内側に第二電極２−２が配置されなければならない第二位置決め領域Ａ２と、内側に第三電極２−３が配置されなければならない第三位置決め領域Ａ３と、好ましくは、内側に第四電極２−４が配置されなければならない第四位置決め領域Ａ４と、を含む（再び図３Ａを参照）。これにより、電極２−１，２−２，２−３の貼り付け位置が、分析される人体の対象の部分の画像上に重ねて、図式的に示されるので、電極２−１，２−２，２−３（そして第四電極２−４がある場合には第四電極２−４）の配置の信頼できる案内を提供できる。
【００８３】
なお、図３Ａにおいて、実線は、モバイル電子デバイス３のスクリーン３−２上に効果的に表示される電極位置決め画像Ｉ＿ｐｓ＿ｅｌを示し、破線は、電極位置決め画像Ｉ＿ｐｓ＿ｅｌ上に重ねられた電極２−１，２−２，２−３，２−４および処理ユニット２−６を示している。
【００８４】
本発明の第一変形では、分析される人体の一部分は、両肩、胸部、腹部および骨盤を含む（再び図３Ａに示した画像を参照）。この場合、人体の一部分の特徴（画像を処理する適当な認識アルゴリズムを用いて特定される）は、例えば二つの肩のうちの一方である。
【００８５】
前記第一変形では、第一位置決めマーク（例えば領域Ａ１）は、分析される人体の胸部の左肩の近傍に配置され、第二位置決めマーク（この例では領域Ａ２）は、分析される人体の胸部の右肩の近傍に配置され、第三位置決めマーク（この例では領域Ａ３）は、分析される人体の腹部の左脚の近傍に配置され、そして、好ましくは、第四位置決めマーク（この例では領域Ａ４）は、分析される人体の腹部の右脚の近傍に配置される（再び図３Ａを参照）。
【００８６】
したがって、第一電極２−１は、胸部の左肩の近傍に配置され、第二電極２−２は、胸部の右肩の近傍に配置され、そして、第三電極２−３は、腹部の左脚の近傍に配置される。
【００８７】
図３Ｂを参照して、前記第一変形にかかる、電極配置案内モジュール３−３．１は、
人体の両肩、胸部、腹部および骨盤を表す複数のリアルタイム画像Ｉ1，Ｉ2・・・Ｉnを受信し、
前記複数の画像Ｉ1，Ｉ2・・・Ｉnの少なくとも一部において両肩の位置を特定し、
前記複数の画像Ｉ1，Ｉ2・・・Ｉnの少なくとも一部の関数として両肩の幅ｘを計算し、
両肩の幅ｘと第一パラメータｋとの関数として、第一位置決め領域Ａ１と右肩の端部との間および第二位置決め領域Ａ２と左肩の端部との間の第一距離ｙ１を計算し、
骨盤の幅ｚを計算し、
骨盤の幅ｚと第二パラメータｒとの関数として、第三位置決め領域Ａ３と左側骨盤の端部との間の第二距離ｔ１を計算し、
両肩の幅ｘの半分を中心としたある間隔内にある値ｘ／２と同等である、第三位置決め領域Ａ３と第一位置決め領域Ａ１との間の第三距離ｈ（つまりｈ＝ｘ／２±Δ、ここでΔは適切に選択された小さい値）を計算し、
第一距離ｙ１、第二距離ｔ１および第三距離ｈを示す情報を伝達する駆動信号を生成する
よう構成される。
【００８８】
なお、第一変形では、分析される人体の胸部の幅は、光学デバイス３−１によって取得される画像Ｉ1，Ｉ2・・・Ｉnの適当な処理を用いて測定される。これにより、分析される患者の胸部の特定の寸法の関数として電極２−１，２−２，２−３を貼り付ける患者の胸部上の位置を較正し、電極２−１，２−２，２−３の胸部上での配置に間違いが生じる可能性を低減できる利点が得られる。
【００８９】
語「第一距離ｙ１」（第一位置決め領域Ａ１を参照）は、左肩に最も近い第一位置決め領域Ａ１の周辺部の点の、左肩の端部からの距離、および右側の肩に最も近い第二位置決め領域Ａ２の周辺部の点の、右肩の端部からの距離を意味する。
【００９０】
同様に、語「第二距離ｔ１」（第三位置決め領域Ａ３を参照）は、左側骨盤に最も近い第三位置決め領域Ａ３の周辺部の点の、左側骨盤の端部からの距離を意味する。
【００９１】
最後に、語「第三距離ｈ」（第三位置決め領域Ａ３と第一位置決め領域Ａ１との間の距離を参照）は、第一位置決め領域Ａ１の内側の基準点を第二位置決め領域Ａ２の内側の基準点に連結する第一直線（つまり、第一直線は二つの肩を連結する直線である）と、第三位置決め領域Ａ３の内側の基準点を第四位置決め領域（Ａ４）の内側の基準点に連結する第二直線（つまり、第二直線は骨盤の二つの端部を連結する直線である）と、の間の距離を意味する。ここで第三距離ｈの方向は、第一直線および第二直線に対して直交する方向である。
【００９２】
本発明の第一変形において、モバイル電子デバイスのスクリーン３−２は、駆動信号Ｓ＿ｐｌを受信し、人体の少なくとも胸部を表す電極位置決めリアルタイム画像Ｉ＿ｐｓ＿ｅｌを表示するよう構成される。前記電極位置決め画像は、さらに、
第一距離ｙ１によって特定される位置を含む第一位置決め領域と、
第一距離ｙ１によって特定される位置を含む第二位置決め領域Ａ２と、
第二距離ｔ１および第三距離ｈによって特定される位置を含む第三位置決め領域Ａ３と、
を含む。
【００９３】
言い換えれば、第一パラメータの値ｋ＝ｘ／ｙ１および第二パラメータの値ｒ＝ｚ／ｔ１は一定であり、この場合、両肩の幅ｘは光学デバイス３−１によって取得される複数の画像Ｉ1，Ｉ2・・・Ｉnの少なくとも一部の適当な処理を用いて計算され、そして、計算ｙ１＝ｋ／ｘを用いて第一／第二位置決め領域Ａ１／Ａ２を位置決めする左側／右側の肩からの第一距離ｙ１が計算され、そして、骨盤の幅ｚが計算され、そして、計算ｔ１＝ｚ／ｒを用いて左側骨盤の端部からの第二距離ｔ１が計算され、そして、計算ｈ＝ｘ／２を用いて第一位置決め領域Ａ１と第三位置決め領域Ａ３との間の第三距離ｈが計算され、最後に、左側骨盤の端部からの第二距離ｔ１かつ第一位置決め領域Ａ１の第三距離ｈ＝ｘ／２に第三位置決め領域Ａ３が位置決めされる（図３Ｂを参照）。
【００９４】
第四電極２−４が備えられている場合、第三位置決め領域Ａ３と同様に第四位置決め領域Ａ４の位置は（内側に第四電極２−４を位置決めするよう）特定される。特に、第四位置決め領域Ａ４は、右側骨盤の端部からの第二距離ｔ１でかつ第四位置決め領域Ａ４と第二位置決め領域Ａ２との間が第三距離ｈ＝ｘ／２±Δとなるよう配置される。
【００９５】
好ましくは、第一位置決めマーク、第二位置決めマーク、第三位置決めマーク（そして第四位置決めマークがある場合には第四位置決めマーク）の形状は「Ｘ」である。
【００９６】
あるいは、位置決めマークが領域によって構成される場合、第一位置決め領域Ａ１、第二位置決め領域Ａ２、第三位置決め領域Ａ３（そして第四位置決め領域Ａ４がある場合には第四位置決め領域Ａ４）の形状は円であり、したがって、四つの円Ａ１，Ａ２，Ａ３，Ａ４が形成される。この場合、基準点（第三距離ｈを定義するために用いられる）は、それぞれの円の中心である。
【００９７】
四つの円Ａ１，Ａ２，Ａ３，Ａ４は、重ならないよう、そして第一円Ａ１が第二円Ａ２と並ぶよう、同時に第三円Ａ３が第四円Ａ４と並ぶよう、配置される。
【００９８】
あるいは、第一位置決め領域Ａ１、第二位置決め領域Ａ２、第三位置決め領域Ａ３および第四位置決め領域Ａ４の形状は長方形であり、したがって、四つの長方形Ａ１，Ａ２，Ａ３，Ａ４が形成される。この場合、基準点は、それぞれの長方形の対角線の交点である。四つの円Ａ１，Ａ２，Ａ３，Ａ４は、重ならないよう、そして第一長方形Ａ１が第二長方形Ａ２と並ぶよう、同時に第三長方形Ａ３が第四長方形Ａ４と並ぶよう、配置される。
【００９９】
好適には、第一電極２−１、第二電極２−２、第三電極２−３および第四電極２−４は、それぞれの特定手段を備える。特に、
第一電極２−１は第一特定手段を備え、
第二電極２−２は第二特定手段を備え、
第三電極２−３は第三特定手段を備え、
第四電極２−４は第四特定手段を備える。
【０１００】
この場合、第一特定手段に関係付ける第一図形識別子、第二特定手段に関係付ける第二図形識別子、および第三特定手段に関係付ける第三図形識別子（そして第四特定手段がある場合には第四特定手段に関係付ける第四図形識別子）の情報を記憶するよう、メモリ３−５が構成される。
【０１０１】
また、第一図形識別子、第二図形識別子および第三図形識別子（そして第四図形識別子がある場合には第四図形識別子）を示すさらなる情報を伝達する駆動信号Ｓ＿ｐｌを生成するよう、電極配置案内モジュール３−３．１は、さらに構成される。
【０１０２】
さらに、モバイル電子デバイス３のスクリーン３−３は、駆動信号を受信し、第一位置決め領域Ａ１の内側に第一図形識別子を、第二位置決め領域Ａ２の内側に第二図形識別子を、そして第三位置決め領域Ａ３の内側に第三図形識別子を（そして第四位置決め領域Ａ４がある場合には第四位置決め領域Ａ４の内側に第四図形識別子）を含む人体の画像を表示するよう、構成される。
【０１０３】
特に、第一電極２−１は、表面が青色の第一特定手段を備え、第二電極２−２は、表面が黄色の第二特定手段を備え、第三電極２−３は、表面が赤色の第三特定手段を備え、そして、第四電極２−４は、表面が緑色の第四特定手段を備える。この場合、モバイル電子デバイス３のスクリーン３−３は、青く色付けされた第一位置決め領域Ａ１、黄色く色付けされた第二位置決め領域Ａ２、赤く色付けされた第三位置決め領域Ａ３、および緑に色付けされた第四位置決め領域Ａ４を表示するよう、構成される。
【０１０４】
例えば電極２−１，２−２，２−３が逆である場合や患者の皮膚に正しく接着していない場合など、患者の胸部に正しく配置されていないか否かを検証する機能を、ポータブル電子デバイス２の処理ユニット２−６の電極配置検証モジュール２−６．１は有する。リード(leads)ＤＩ，ＤＩＩ，ＤＩＩＩの電極の配置が三角形を形成するとともに、心臓サイクルのそれぞれの瞬間においてリードＤＩ，ＤＩＩ，ＤＩＩＩの代数和がゼロであることを定義しているアイントホーフェンの法則を利用により得られる。
【０１０５】
特に、電極配置検証モジュール２−６．１は、
第一電極２−１によって生成された第一検出電気信号Ｓ１−ｒ、第二電極２−２によって生成された第二検出電気信号Ｓ２＿ｒ、および第三電極２−３によって生成された第三検出電気信号Ｓ３＿ｒを受信し、
第二検出電気信号Ｓ２＿ｒと第一検出電気信号Ｓ１＿ｒとの間の第一電位差と等しい第一リードＤＩを計算し（図３ＡにおけるＤＩを参照）、
第三検出電気信号Ｓ３＿ｒと第一検出電気信号Ｓ１＿ｒとの間の第二電位差と等しい第二リードＤＩＩを計算し（図３ＡにおけるＤＩＩを参照）、
第三検出電気信号Ｓ３＿ｒと第二検出電気信号Ｓ２＿ｒとの間の第三電位差と等しい第三リードＤＩＩＩを計算し（図３ＡにおけるＤＩＩＩを参照）、
第二電位差と第一電位差との間の差ΔII-Iと等しい差を計算し、
計算された差ΔII-Iと第三電位差との間の差の絶対値が許容値ε以下であるか否かを検証し、
計算された差ΔII-Iと第三電位差との間の差の絶対値が許容値ε以下であると検証された場合には、第一電極、第二電極および第三電極の配置が正しいことを示す位置決め検証信号Ｓ＿ｖ＿ｐｓを生成し、
計算された差ΔII-Iと第三電位差との間の差の絶対値が許容値ε以下であるとは検証されなかった場合には、第一電極２−１、第二電極２−２および第三電極２−３のうち少なくとも一つの電極の配置が正しくないことを示す位置決め検証信号Ｓ＿ｖ＿ｐｓを生成する
よう構成される。
【０１０６】
許容値εは十分に小さく（ミリボルトのオーダー（桁）で）選択されている。
【０１０７】
図３Ｃは、安定した身体状態にある（つまり心臓血管の異常の兆候がない）人の心臓のリードＤＩ，ＤＩＩ，ＤＩＩＩによって生成されたトラックの予想される傾向を示す。
【０１０８】
リードＤＩにおいて、Ｐ波、ＱＲＳ群およびＴ波が見られる（簡単化のために、これらはリードＤＩＩおよびＤＩＩＩにおいては示していない）。
【０１０９】
ポータブル電子デバイス２のトランシーバー２−５は、位置決め検証信号を受信し、そこから第一電極２−１、第二電極２−２および第三電極２−３の配置が正しいことを示すまたは第一電極２−１、第二電極２−２および第三電極２−３のうち少なくとも一つの電極の配置が正しくないことを示す情報を伝達する短距離無線信号Ｓ１＿ｓ＿ｒｄを生成するよう、構成されている。
【０１１０】
モバイル電子デバイス３のトランシーバー３−４は、配置が正しいまたは正しくないことを示す前記情報を伝達する短距離無線信号Ｓ２＿ｓ＿ｒｄを受信し、そこから配置が正しいまたは正しくないことを示す前記情報を伝達する内部信号Ｓ＿ｉｎｔを生成するよう、構成されている。
【０１１１】
モバイル電子デバイス３のスクリーン３−２は、内部信号Ｓ＿ｉｎｔを受信し、第一電極２−１、第二電極２−２および第三電極２−３の配置が正しいことを表すもしくは第一電極２−１、第二電極２−２および第三電極２−３のうち少なくとも一つの電極の配置が正しくないことを示す図式（グラフィック）または文字（テキスト）表示を表示するよう、構成されている。例えば、少なくとも一つの電極が正しく配置されていない場合、スクリーン３−２はまず強度を変化させながら文字または図形のメッセージを表示（フラッシング表示）し、その後、電極２−１，２−２，２−３を新たに配置させることができるよう人体の一部分（例えば胸部を含む）のリアルタイム画像を表示する。
【０１１２】
心拍数検出モジュール２−６．２は、分析される人体の心臓の心循環器系停止または心室細動または心室頻脈の発生を検出する機能を有する。
【０１１３】
特に、心拍数検出モジュール２−６．２は、
第一検出電気信号Ｓ１＿ｒ、第二検出電気信号Ｓ２＿ｒおよび第三検出電気信号Ｓ３＿ｒを受信し、それらの関数として、二つの連続するＲ波の間の距離（ミリセカンドで測定）と所定の時間間隔におけるそれぞれの振幅値（ミリボルト）とを測定し、
Ｒ波の振幅値がゼロに近い第一振幅閾値より低い場合、人体の心臓の心循環器系停止の発生を示す第一値を含む心拍数検出信号Ｓ＿ｒ＿ｆｃを生成し、
Ｒ波の振幅値が第一振幅閾値と（第一振幅閾値より大きい）第二振幅閾値との間にある場合であって、かつ前記距離の値が第一距離閾値より低い場合、人体の心臓の心室細動の発生を示す第二値を含む心拍数検出信号Ｓ＿ｒ＿ｆｃを生成し、
前記距離の値が第一距離閾値の値と（第一距離閾値より大きい）第二距離閾値との間にある場合、人体の心臓の心室頻脈の発生を示す第三値を含む心拍数検出信号Ｓ＿ｒ＿ｆｃを生成する
よう構成される。
【０１１４】
心拍数検出モジュール２−６．２は、Ｒ波の代わりにＱＲＳ群を考慮に入れる同様の方法で動作することができ、こうして、心循環器系停止、心室細動および心室頻脈検出モードに関係する考慮すべき事柄を、ＱＲＳ群を用いた同様の方法にも適用可能である。
【０１１５】
ポータブル電子デバイス２のトランシーバー２−５は、心拍数検出信号Ｓ＿ｒ＿ｆｃを受信し、そこから心循環器系停止の発生、心室細動の発生または心室頻脈の発生を示す情報を伝達する短距離無線信号Ｓ１＿ｓ＿ｒｄを生成するよう、構成されている。
【０１１６】
モバイル電子デバイス３のトランシーバー３−４は、心循環器系停止の発生、心室細動の発生または心室頻脈の発生を示す前記情報を伝達する短距離無線信号Ｓ２＿ｓ＿ｒｄを受信し、そこから心循環器系停止の発生、心室細動の発生または心室頻脈の発生を示す前記情報を伝達する内部信号Ｓ＿ｉｎｔを生成するよう、構成されている。
【０１１７】
メモリ３−５は、心肺蘇生術に関する案内手順を表すビデオを記憶する。前記ビデオは、人体の胸部に置くべき手の位置と手で胸部に加える圧迫（プレッシャ）の数とを表す一連の画像および音声を含んでいる。
【０１１８】
手配置案内モジュール３−３．２は、心肺蘇生法手順を実行する目的で、誰でも患者の胸部に正しく手を置けるよう案内する機能を有する。
【０１１９】
特に、手配置案内モジュール３−３．２は、
心循環器系停止、心室細動または心室頻脈の発生を示す情報を受信し、
画像取得光学デバイス３−１から、分析される人体の対象の部分を表す複数のリアルタイム画像Ｉ1，Ｉ2・・・Ｉnを受信し、
前記複数の画像の少なくとも一部において人体の一部分の前記特徴を特定し、
前記特定された特徴の関数として、前記第一電極および前記第二電極を貼り付ける人体の胸部上の位置を計算し、
人体の心臓の心肺蘇生術の一連の手の動きを実行するために、第一電極および第二電極の計算された位置の関数として、手を人体の胸骨に置くべき位置を計算し、
心循環器系停止の発生、心室細動の発生または心室頻脈の発生を示し、手の計算された位置を示す駆動信号Ｓ＿ｐｌを生成し、
心肺蘇生術の一連の手の動き表すビデオをメモリ３−５から読み取り、
心肺蘇生術ビデオをさらに伝達する駆動信号Ｓ＿ｐｌを生成する
よう構成される。
【０１２０】
好ましくは、人体の胸部上に手を置くべき位置は、対象の人体の両肩の幅ｘの関数として計算され、こうして、手は分析された人体の胸骨に置かれる。特に、計算は、第一電極２−１を貼り付ける右肩の端部からの、そして第二電極２−２を貼り付ける左肩の端部からの第一距離ｙ１に関して実行され、第一電極２−１を第二電極２−２に連結する第一直線が特定され、そして最後に、第一電極２−１と第二電極２−２との間の距離のおよそ中間に位置する点で第一直線に対して直交する第二直線が特定される。手を置くべき位置は、第二直線上であり、患者の胸骨上となる距離にある。
【０１２１】
したがって、モバイル電子デバイス３のスクリーン３−２は、駆動信号Ｓ＿ｐｌを受信し、心循環器系停止、心室頻脈または心室細動の発生を表す図形または文字表示を表示するよう構成される。
【０１２２】
例えば、スクリーン３−２が表示するハート（心臓）型の画像では、
ハート型の画像は、心循環器系停止、心室頻脈および心室細動が発生していない場合には表示されない、
ハート型の画像は、心室細動が発生している場合には、表示され、低い周波数で点滅する（フラッシング表示する）、
ハート型の画像は、心室頻脈が発生している場合には、表示され、中間的な周波数で点滅する（フラッシング表示する）、
ハート型の画像は、心循環器系停止が発生している場合には、表示され、高い周波数で点滅する（フラッシング表示する）
ことが想定される。
【０１２３】
あるいは、ハート型の画像は、心室細動または心室頻脈または心循環器系停止が発生している場合には、表示され、同じ周波数で点滅する（フラッシング表示する）。
【０１２４】
さらに、スクリーン３−２は分析される人体の胸部を表す画像を表示するよう構成される。前記胸部画像はさらに、心肺蘇生法手順を行う目的で手を置くべき位置を表す第四位置決め領域を含む。
【０１２５】
心電図生成モジュール２−６．３は、第一検出電気信号Ｓ１＿ｒ、第二検出電気信号Ｓ２＿ｒおよび第三検出電気信号Ｓ３＿ｒ（そして第四測定信号Ｓ４＿ｒがある場合には第四測定信号Ｓ４＿ｒ）の関数として、分析される人体の心臓の心電図を表す負荷のトラックを伝達する心電図信号Ｓ＿ｅｃｇを生成するよう、構成される。
【０１２６】
特に、心電図信号Ｓ＿ｅｃｇは、二極性（バイポーラ）型の第一リードＤＩ、第二リードＤＩＩおよび第三リードＤＩＩＩのトラックの値を伝達する。
【０１２７】
あるいは、心電図信号Ｓ＿ｅｃｇは、単極型（ユニポーラ）リードａＶＲ，ａＶＬ，ａＶＦのトラックの値を伝達する。
【０１２８】
リードａＶＲは、第一電極２−１によって生成される第一検出電気信号Ｓ１＿ｒの関数として生成される。
【０１２９】
リードａＶＬは、第二電極２−２によって生成される第二検出電気信号Ｓ２＿ｒの関数として生成される。
【０１３０】
リードａＶＬは、第三電極２−３によって生成される第三検出電気信号Ｓ３＿ｒの関数として生成される。
【０１３１】
ポータブル電子デバイス２のトランシーバー２−５は、心電図信号Ｓ＿ｅｃｇを受信し、そこから心電図を表すリードのトラックの値を示す前記情報を伝達する短距離無線信号Ｓ１＿ｓ＿ｒｄを生成するよう、構成されている。
【０１３２】
モバイル電子デバイス３のトランシーバー３−４は、心電図のリードのトラックの値を示すデータを伝達する短距離無線信号Ｓ２＿ｒ＿ｓｄを受信し、そこから心電図を表すリードのトラックの値を示すデータを伝達する内部信号Ｓ＿ｉｎｔを生成するよう、構成される。
【０１３３】
モバイル電子デバイス３のスクリーン３−２は、内部信号Ｓ＿ｉｎｔを受信し、心電図を表すリードのトラックの値を表示するよう、構成される。
【０１３４】
図２に、ポータブル電子デバイス２のブロック図をより詳細に示す。
【０１３５】
ポータブル電子デバイス２は、直列接続の電子部品を備える。直列接続の電子部品には、
保護回路２−７、
増幅回路２−８、
ローパスフィルター２−９、
アナログ・デジタル・コンバータ（Ａ／Ｄ変換器）２−１０、
処理ユニット２−６、
送受信回路２−５．１、および
アンテナ２−５．２
が含まれる。
【０１３６】
保護回路２−７は、ポータブル電子デバイス２の内部の電子回路を保護する機能を有する。
【０１３７】
保護回路２−７は、それぞれアナログ電圧の信号である第一、第二、第三および第四検出電気信号Ｓ１＿ｒ，Ｓ２＿ｒ，Ｓ３＿ｒおよびＳ４＿ｒを受信するよう構成される四つの入力端子を備える。
【０１３８】
保護回路２−７はさらに、第一アナログ電圧Ｓ１＿ｒの関数として計算される第一保護電圧Ｖ１＿ｐｒと、第二アナログ電圧Ｓ２＿ｒの関数として計算される第二保護電圧Ｖ２＿ｐｒと、第三アナログ電圧Ｓ３＿ｒの関数として計算される第三保護電圧Ｖ３＿ｐｒと、第四アナログ電圧Ｓ４＿ｒの関数として計算される第四保護電圧Ｖ４＿ｐｒと、をそれぞれ生成するよう構成される四つの出力端子を備える。
【０１３９】
増幅回路２−８は、保護電圧信号Ｖ１＿ｐｒ，Ｖ２＿ｐｒ，Ｖ３＿ｐｒ，Ｖ４＿ｐｒを増幅する機能を有する。
【０１４０】
増幅回路２−８はさらに、第一保護電圧Ｖ１＿ｐｒの値の増幅を用いて計算される第一増幅電圧Ｖ１＿ａと、第二保護電圧Ｖ２＿ｐｒの値の増幅を用いて計算される第二増幅電圧Ｖ２＿ａと、第三保護電圧Ｖ３＿ｐｒの値の増幅を用いて計算される第三増幅電圧Ｖ３＿ａと、第四保護電圧Ｖ４＿ｐｒの値の増幅を用いて計算される第四増幅電圧Ｖ４＿ａと、をそれぞれ生成するよう構成される四つの出力端子を備える。
【０１４１】
好適には、増幅回路２−８は、増幅回路２−８の利得（ゲイン）値を調整するための利得制御信号Ｓ＿ｃｔｒｌ＿ｇを受信するよう構成されるさらなる入力端子を備える。
【０１４２】
先に説明した通り、処理ユニット２−６は、第一リードＤＩ、第二リードＤＩＩ、および第三リードＤＩＩＩの値を計算するよう構成される。
【０１４３】
特に、電極配置検証モジュール２−６．１は、第一リードＤＩの第一電位差、第二リードＤＩＩの第二電位差および第三リードＤＩＩＩの第三電位差の値の関数として、利得制御信号Ｓ＿ｃｔｒｌ＿ｇの値を調整するよう、さらに構成される。こうして、増幅電圧信号Ｖ１＿ａ，Ｖ２＿ａ，Ｖ３＿ａ，Ｖ４＿ａの値の調整が実行され、異なる電極２−１，２−２，２−３によって検出される電圧値の差の補償が実行される。
【０１４４】
アナログ・デジタル・コンバータ２−１０は、第一増幅電圧Ｖ１＿ａ、第二増幅電圧Ｖ２＿ａ、第三増幅電圧Ｖ３＿ａおよび第四増幅電圧Ｖ４＿ａの値のアナログからデジタルへの変換を行う機能を有する。
【０１４５】
アナログ・デジタル・コンバータ２−１０は、第一増幅電圧Ｖ１＿ａの値のアナログからデジタルへの変換を用いて計算される第一デジタル電圧Ｖ１＿ｄと、第二増幅電圧Ｖ２＿ａの値のアナログからデジタルへの変換を用いて計算される第二デジタル電圧Ｖ２＿ｄと、第三増幅電圧Ｖ３＿ａの値のアナログからデジタルへの変換を用いて計算される第三デジタル電圧Ｖ３＿ｄと、第四増幅電圧Ｖ４＿ａの値のアナログからデジタルへの変換を用いて計算される第四デジタル電圧Ｖ４＿ｄと、を生成するよう構成される一以上の出力端子を備える。
【０１４６】
先に説明した通り、処理ユニット２−６は、第一デジタル電圧Ｖ１＿ｄ、第二デジタル電圧Ｖ２＿ｄ、第三デジタル電圧Ｖ３＿ｄおよび第四デジタル電圧Ｖ４＿ｄの値を受信し、その関数として、位置決め検証信号Ｓ＿ｖ＿ｐｓ、心拍数検出信号Ｓ＿ｒ＿ｆｃおよび心電図Ｓ＿ｅｃｇ信号を生成するよう、構成される一以上の入力端子を備える。
【０１４７】
送受信回路２−５．１およびアンテナ２−５．２のセットは、トランシーバー２−５を構成する。
【０１４８】
図４Ａ〜図４Ｄに、本発明にかかる心電図の取得を制御するための方法のフローチャート１００を示す。
【０１４９】
なお、ステップ１０２，１０３，１０４，１０５，１０６，１４０，１４１，１４２，１３２，１３３，１３５，１３６，１４９，１５０，１５１，１５２，１５３，１５４，１５５，１５６，１５７，１５８は、モバイル電子デバイス３の処理ユニット３−３上で実行されることに記載しておく。
【０１５０】
一方、ステップ１０７，１０８，１０９，１４３，１４４，１４５，１３０，１３１，１４７，１４８は、ポータブル電子デバイス２の処理ユニット２−６上に実行される。
【０１５１】
フロー図１００はステップ１０１から始まる。
【０１５２】
ステップ１０１の後には、モバイル電子デバイス３のユーザ（場合によっては患者である）がモバイル電子デバイス３の動作モードを選択するステップ１０２が行われる。動作モードは、
安定した身体状態にある、つまり急性心臓血管症状を訴えていない患者の心臓の心電図を実行する「モニタリング」動作モード、
心臓血管症状の状態にある、つまり急性心臓血管症状を訴えている患者の心臓の心電図を実行する「救急」動作モード
の一方である。
【０１５３】
モニタリング動作モードが選択されている場合、ステップ１０２の後にはステップ１０３が行われ、救急動作モードが選択されている場合、ステップ１０２の後にはステップ１４０が行われる。
【０１５４】
まず、モニタリングモードを説明し、次に、救急モードを説明する。
【０１５５】
モニタリングモードは、ステップ１０３〜１１０およびステップ１３０〜１３６を含む。
【０１５６】
ステップ１０３において、電子システム１を用いるのが一回目か否かが確認され、
ＹＥＳの場合（affermative case)、ステップ１０４に移行し、
ＮＯの場合(negative case)、ステップ１０５に移行する。
【０１５７】
ステップ１０４において、患者の構成（コンフィギュレーション）データ、例えば名前、年齢、性別が入力される。
【０１５８】
ステップ１０４に続いて、患者の胸部、両肩、腹部および骨盤の複数のリアルタイム画像Ｉ1，Ｉ2・・・Ｉnを取得するステップ１０５が行われる。
【０１５９】
ステップ１０５の後には、先の電極配置案内モジュール３−３．１に関して例示した通り、胸部上への電極の配置の案内を実行するステップ１０６が行われる。したがって、図３Ａの画像がモバイル電子デバイスのスクリーン３−２に表示される。該画像は、電極２−１，２−２，２−３（そして２−４がある場合には２−４）をそれぞれ配置するべき位置決め領域Ａ１，Ａ２，Ａ３（そしてＡ４がある場合にはＡ４）を示す。
【０１６０】
その後、電極２−１，２−２，２−３（そして２−４がある場合には２−４）が患者の胸部上に配置される。
【０１６１】
ステップ１０６の後には、電極２−１，２−２，２−３そして２−４がある場合には２−４によって検出される電気信号の取得を開始するステップ１０７が行われる。
【０１６２】
ステップ１０７の後には、患者の胸部上への電極２−１，２−２，２−３の配置を検証するステップ１０８が行われる。
【０１６３】
ステップ１０８の後には、先に電極配置検証モジュール２−６．１に関して例示した通り、電極２−１，２−２，２−３が患者の胸部上に正しく配置されたことを検証するステップ１０９が行われる。したがって、リードＤＩ，ＤＩＩ，ＤＩＩＩの代数和はゼロである（あるいはゼロとの差が十分に小さい許容値εより小さい値である）ことが検証される。
【０１６４】
検証がＹＥＳの場合（つまり、電極２−１，２−２，２−３は胸部に正しく配置された場合）、ステップ１０９の後にはステップ１３０が行われる。
【０１６５】
検証がＮＯの場合（つまり、電極２−１，２−２，２−３は胸部に正しく配置されていない場合）、ステップ１０９の後にはステップ１１０が行われる。
【０１６６】
ステップ１１０において、電極２−１，２−２，２−３は、患者の皮膚上に貼り付けられたそれぞれの位置から取り外され、そして、ステップ１０５に戻る。
【０１６７】
こうして、電極２−１，２−２，２−３の少なくとも一つが患者の胸部に正しく配置されたことを検出されるまで、ステップ１０５，１０６，１０７，１０８，１０９，１１０で構成されるサイクルが繰り返される。
【０１６８】
ステップ１３０において、電極２−１，２−２，２−３（そして２−４がある場合には２−４）によって検出された電気信号が取得され、その関数として、患者の心臓の心電図トラックが生成される。
【０１６９】
ステップ１３０の後には、ポータブル電子デバイス２が心電図トラックを表すデータを伝達する短距離無線信号Ｓ１＿ｒ＿ｓｄを送信するステップ１３１が行われる。
【０１７０】
ステップ１３１の後には、ポータブル電子デバイス３が心電図トラックを表すデータを伝達する短距離無線信号Ｓ２＿ｒ＿ｓｄを受信するステップ１３２が行われる。さらに、図３Ｃに例示する通り、モバイル電子デバイス３のスクリーン３−２は心電図トラックを表示する。
【０１７１】
スクリーン３−２に表示されるトラックは、双極リードＤＩ，ＤＩＩ，ＤＩＩＩとできる、または単極リードａＶＲ，ａＶＬ，ａＶＦとできる。
【０１７２】
ステップ１３２の後には、モバイル電子デバイス３上の心電図の臨床的パラメータを測定する機能が選択されたか否かが確認されるステップ１３３が行われる。
【０１７３】
ＹＥＳの場合（つまり、臨床的パラメータの測定が選択された場合）、ステップ１３５に移行し、
ＮＯの場合（つまり、臨床的パラメータの測定が選択されていない場合）、ステップ１３４に移行し、フローチャート１００は終了する。
【０１７４】
したがって、モバイル電子デバイス３が、臨床的パラメータの測定を心電図のトラック上に実行することができる。臨床的パラメータの測定には、例えば、
二つの連続するＲ波(R waves)間の時間長さの測定、
一以上のＲ波の振幅の測定、
ＰＲ間隔の時間長さの測定、
ＱＲＳ群の時間長さの測定、
等電位線に関するＳＴ部分の上昇(elevation)または下降(depression)を測定、
ＱＴ間隔の時間長さの測定、
一分間当たりの心拍の数の計算
が挙げられる。
【０１７５】
ステップ１３５において、心電図の少なくとも一つのトラックが選択され、少なくとも一つの選択されたトラックの少なくとも一つのパラメータが測定される。
【０１７６】
測定された臨床的パラメータの値は、リードのそれぞれのトラックとともに表示される。こうして、測定された値を正しいトラックと正しく関連付けて、医学的に正しい評価を行うことができる。
【０１７７】
ステップ１３５の後には、少なくとも一つの選択された心電図トラックと測定されたそれぞれの臨床的パラメータの値とがメモリ３−５へ記憶されるステップ１３６が行われる。
【０１７８】
好ましくは、ステップ１３６において、少なくとも一つの選択されたトラックとそれぞれの測定された臨床的パラメータの値とが、通信網（例えば移動無線（ラジオモバイル）タイプの長距離通信網）を通じて送信され、医療センタまたは患者の医者へと送信される。
【０１７９】
トラック（臨床的パラメータの測定値とともに）はｐｄｆフォーマットファイルで保存でき、それはモバイル電子デバイス３のメモリ３−５にその場で記憶され得る、またはクラウド空間に記憶され得る。前記ｐｄｆファイルは、任意の方法で、例えば電子メール・メッセージの添付ファイルとして遠隔地へと送信することができる。
【０１８０】
「救急」モードは、ステップ１４０〜１５９を含む。
【０１８１】
ステップ１４０において、患者の症状が入力され、心電図が実行される。
【０１８２】
症状は、例えば胸から発する痛み、めまい、動悸、失神または失神前状態とすることができる。
【０１８３】
ステップ１４０の後には、胸部上への電極の配置の案内を実行するステップ１４１が行われる。
【０１８４】
ステップ１４１，１４２，１４３，１４４，１４５，１４６，１４７，１４８，１４９は、参照する「モニタリング」モードのステップ１０５，１０６，１０７，１０８，１０９，１１０，１３０，１３１，１３２にそれぞれ対応する。
【０１８５】
ステップ１４９の後には、心電図の臨床的パラメータの自動測定を実行するステップ１５０が行われる。
【０１８６】
測定された臨床的パラメータは、ステップ１３５に関してここに上に示したリストから選択することができる。つまり、
二つの連続するＲ波(waves R)間の時間長さの測定、
一以上のＲ波の振幅の測定、
ＰＲ間隔の時間長さの測定、
ＱＲＳ群の時間長さの測定、
等電位線に関するＳＴ部分の上昇または下降を測定、
ＱＴ間隔の時間長さの測定、
一分間当たりの心拍の数の計算
である。
【０１８７】
ステップ１５０の後には、心電図トラックとそれぞれの測定された臨床的パラメータの値とが、通信網（例えば移動無線（ラジオモバイル）タイプの長距離通信網）を通じて送信され、医療センタまたは患者の医者へと送信されるステップ１５１が行われる。
【０１８８】
好適には、ステップ１５１において、救急モードにおいて生成された心電図トラック（それぞれの測定された臨床的パラメータの値とともに）だけが送信されるのではなく、モニタリングモードにおいて生成された少なくとも一つの心電図のトラックも送信される。こうして、医者は、同じ患者の二つの心電図トラックを比較することができ、心臓血管の変質の発生を容易に検知できる。
【０１８９】
好ましくは、ステップ１５１において、救急モードにおいて心電図を取得する原因となった症状のタイプを表す情報がさらに送信される。こうして、心臓血管の変質が発生した心電図を受信した医者は、症状を知るために患者にさらに質問する必要がなく、心電図のトラックを対応する症状に容易に関連付けることができる。
【０１９０】
ステップ１５１の後には、二つの連続するＲ波の間の距離と所定の時間間隔におけるそれぞれの振幅値との測定を実行するステップ１５２が行われる。
【０１９１】
ステップ１５２の後には、二つの連続するＲ波の間の距離の値および／またはそれぞれの振幅の値に異常が検出されたか否かを検証するステップ１５３が行われる。
【０１９２】
ＹＥＳの場合（つまり、異常が検出された場合）、ステップ１５４に移行し、
ＮＯの場合（つまり、異常が検出されていない場合）、ステップ１３４に移行し、フローチャート１００は終了する。
【０１９３】
検出された不規則性（そして検出モード）は、心拍数検出モジュール２−６．２の説明において先に例示したものである、つまり、心循環器系停止、心室細動または心室頻脈である。
【０１９４】
ステップ１５４において、ステップ１５９で終了する心肺蘇生法手順が開始される。
【０１９５】
ステップ１５４において、患者の胸部、両肩、腹部および骨盤の複数のリアルタイム画像Ｉ1，Ｉ2・・・Ｉnを取得する。
【０１９６】
ステップ１５４の後には、先の手配置案内モジュール３−３．２に関して例示した通り、胸部上への手の位置決めの案内を実行するステップ１５５が行われる。したがって、患者の胸部の画像がモバイル電子デバイス３のスクリーン３−２に表示され、該画像が、心肺蘇生法手順を実行する目的で手を置くべき位置を示す。
【０１９７】
ステップ１５５の後には、心肺蘇生法を案内する手順のビデオをメモリ３−５から読み出すステップ１５６が行われる。
【０１９８】
ステップ１５６の後には、スクリーン３−２が心肺蘇生法の前記ビデオを表示するステップ１５７が行われる。
【０１９９】
ステップ１５７の後には、誰でも行うことができる患者の心肺蘇生法を開始するステップ１５８が行われる。
【０２００】
ステップ１５８の後には、フローチャート１００が終了するステップ１５８が行われる。
【０２０１】
好ましくは、モバイル電子デバイス３の地理学的な位置の特定（ジオローカリゼーション）を実行し、モバイル電子デバイス３がある地球上での地図上の位置を表す座標を生成するさらなるステップがステップ１５０とステップ１５１との間に含まれる。例えば、ＧＰＳタイプの衛星位置特定（サテライト・ローカリゼーション）システムが用いられ、したがって、ＧＰＳ座標が得られる。さらに、ステップ１５１には、モバイル電子デバイス３がある地理学的位置を表す座標の通信網にわたる通信が含まれる。モバイル電子デバイス３の地理学的位置の座標に関係する情報を、医療センタが受信して、救急車を手配することができる、あるいは中央救急ユニットが直接受信して、モバイル電子デバイス３がある地理学的位置の座標を用いて、患者がいる位置を救急車に送信することができる。
【０２０２】
好適には、ステップ１０８〜１０９における電極の正しい配置の検証は、図４Ｄに示すステップ１０８−１，１０８−２，１０８−３，１０８−４，１０８−５，１０８−６において行われる。なお、前記ステップは、先に例示した電極配置検証モジュール２−６．１において実行されることを記載しておく。
【０２０３】
この場合、ステップ１０７の後に、ステップ１０８−１，１０８−２，１０８−３が並列で行われる。
【０２０４】
ステップ１０８−１において、胸部の左肩の近傍に配置される第二電極２−２によって生成される電気信号と、胸部の右肩の近傍に配置される第一電極２−１によって生成される電気信号と、の間の第一電位差と等しい第一リードＤＩを計算する。
【０２０５】
ステップ１０８−２において、腹部の左脚の近傍に配置される第三電極２−３によって生成された電気信号と、胸部の右肩の近傍に配置される第一電極２−１によって生成される電気信号と、の間の第二電位差と等しい第二リードＤＩＩを計算する。
【０２０６】
ステップ１０８−３において、腹部の左脚の近傍に配置される第三電極２−３によって生成された電気信号と、胸部の左肩の近傍に配置される第二電極２−２によって生成される電気信号と、の間の第三電位差と等しい第三リードＤＩＩＩを計算する。
【０２０７】
ステップ１０８−１，１０８−２の後には、第二リードＤＩＩの第二電位差と第一リードＤＩの第一電位差との間の差と等しい差ΔＩＩ−Ｉを計算するステップ１０８−４が行われる。
【０２０８】
ステップ１０８−３，１０８−４の後には、計算された差異ΔＩＩ−Ｉと第三リードＤＩＩＩの電位差との間の差の絶対値を計算するステップ１０８−５が行われる。
【０２０９】
ステップ１０８−５の後には、計算された絶対値が許容値ε以下であるか否かを検証するステップ１０８−６が行われる。
【０２１０】
ＹＥＳの場合（つまり、計算された絶対値が許容値ε以下である場合）、ステップ１３０に移行する。
【０２１１】
ＮＯの場合（つまり、計算された絶対値が許容値εを超える場合）、ステップ１１０に移行する。
【０２１２】
モニタリング動作モードにおける電子システム１の第一動作を、再び図１、図３Ａ、図４Ａおよび図４Ｂを参照して、説明する。
【０２１３】
簡単化のために、
モバイル電子デバイス３が、前側カメラ３−１とタッチ・スクリーン・タイプのスクリーン３−２とを有するスマートフォンであり、
フローチャート１００のステップ１０２，１０３，１０４，１０５，１０６，１３２，１３３，１３５，１３６，１３５を行う第一ソフトウェア・アプリケーションが、モバイル電子デバイス３にインストールされており、
フローチャート１００のステップ１０７，１０８，１０９，１３０，１３１を行う第二ソフトウェア・アプリケーションが、ポータブル電子デバイス２上で実行され、
患者自身が、彼の心臓の心電図を実行し（つまり、心臓の自己監視を実行し）、したがって、スマートフォン３のユーザが患者自身であり、
ポータブル電子デバイス２を使用するのが初めてであり、
四つの電極２−１，２−２，２−３，２−４が用いられ、
位置決め領域Ａ１，Ａ２，Ａ３，Ａ４の形状が円形であり、
スマートフォン３とポータブル電子デバイスとの間で交換される短距離無線信号が、Ｂｌｕｅｔｏｏｔｈ（登録商標）タイプである
ことを前提とする。
【０２１４】
初期の時点ｔ０において、患者が胸部を露出し、スマートフォン３上で第一ソフトウェア・アプリケーションを起動させる。
【０２１５】
そして、患者は、モニタリング動作モードを選択し（ステップ１０２）、前側カメラ３−１を選択する。
【０２１６】
処理ユニット３−３は、第一ソフトウェア・アプリケーションが用いられたことが初めてであることを検出し、患者のコンフィギュレーション・データの入力の要求をスクリーン３−２に表示する。
【０２１７】
時点ｔ１（ｔ０以降の）に、患者が、名前、年齢、住所、性別などのコンフィギュレーション・データを、タッチ・スクリーン・タイプのスクリーン３−２を用いて、入力する。
【０２１８】
時点ｔ２（ｔ１以降の）に、スマートフォン３の処理ユニット３−３が、スマートフォン３の前側カメラ３−１を作動させ、こうして、患者は、両肩、胸部、腹部および骨盤が画像フレーム内に収まるよう手でスマートフォンを位置決めする。
【０２１９】
処理ユニット３−３はステップ１０５を実行し、カメラ３−１は患者の胸部、両肩、腹部および骨盤の複数のリアルタイム画像Ｉ1，Ｉ2・・・Ｉn（例えば１０個の画像）を取得する。
【０２２０】
次に、図３Ａに示す通り、処理ユニット３−３はステップ１０６を実行し、そして、スクリーン３−２は、電極２−１，２−２，２−３，２−４をそれぞれ位置決めする四つの位置決め領域Ａ１，Ａ２，Ａ３，Ａ４を示す患者の胸部のリアルタイム画像を示す。
【０２２１】
時点ｔ３（ｔ２以降の）に、患者は、右肩の近傍にある位置決め領域Ａ１の外側の胸部の皮膚上に電極２−１を位置決めし、左肩の近傍にある位置決め領域Ａ２の内側の胸部の皮膚上に電極２−２を位置決めし、左脚の近傍にある位置決め領域Ａ３の内側の骨盤の皮膚上に電極２−３を位置決めし、そして右脚の近傍の位置決め領域Ａ４の内側の骨盤の皮膚上に電極２−４を位置決めする。
【０２２２】
時点ｔ４（ｔ３以降の）に、ポータブル電子デバイス２の処理ユニット２−６が、患者の皮膚上に電極２−１，２−２，２−３，２−４が配置されたことを検出し、電極２−１，２−２，２−３，２−４によってそれぞれ生成される電気信号Ｓ１＿ｒ，Ｓ２＿ｒ，Ｓ３＿ｒ，Ｓ４＿ｒの取得を開始するステップ１０７が実行される。
【０２２３】
次に、処理ユニット２−６は、患者の胸部上の電極２−１，２−２，２−３の正しい配置の検証を実行するステップ１０８，１０９を実行する。特に、電極２−１が位置決め領域Ａ１の外側に配置されているので、処理ユニット２−６は、少なくとも一つの電極が正しく配置されていないことを検出する。
【０２２４】
したがって、スクリーン３−２は、少なくとも一つの電極が正しく配置されていないことを示すテキスト・メッセージをフラッシング表示する。
【０２２５】
したがって、患者はスクリーン３−２を見て、フラッシング表示のテキスト・メッセージに気付き、皮膚から電極２−１を取り外す（ステップ１１０）。
【０２２６】
時点ｔ５（ｔ４以降の）に、処理ユニット３−３は再び、ステップ１０５，１０６を実行し、そして、スクリーン３−２は再び、電極２−１，２−２，２−３，２−４をそれぞれ位置決めする四つの位置決め領域Ａ１，Ａ２，Ａ３，Ａ４を示す患者の胸部のリアルタイム画像を示す。
【０２２７】
患者が右肩の近傍にある位置決め領域Ａ１の内側の胸部の皮膚上に電極２−１を位置決めし、したがって、処理ユニット２−６が、電極２−１，２−２，２−３が正しく配置されたことを検出し、そしてスクリーン３−２が正しい配置を示すテキスト・メッセージを表示するという違いがあるが、ｔ６（ｔ５以降の）とｔ７との間（ｔ７は含まず）の時点における動作は、時点ｔ３および時点ｔ４に関して先に説明した動作と同様である。
【０２２８】
時点ｔ７（ｔ６以降の）に、ポータブル電子デバイス２は、電極２−１，２−３，２−３，２−４によってそれぞれ検出された電気信号Ｓ１＿ｒ，Ｓ２＿ｒ，Ｓ３＿ｒ，Ｓ４＿ｒを取得し、そして患者の心臓の心電図トラックを生成する（ステップ１３０）。
【０２２９】
次に、ポータブル電子デバイス２は、スマートフォン３に向かってＢｌｕｅｔｏｏｔｈ（登録商標）を介して心電図トラックを表す情報を伝達する信号Ｓ１＿ｒ＿ｓｄを送信する（ステップ１３１）。
【０２３０】
時点ｔ８（ｔ７以降の）に、スマートフォン３は、Ｂｌｕｅｔｏｏｔｈ（登録商標）を介して、心電図トラックを表す情報を伝達する信号Ｓ２＿ｒ＿ｓｄを受信し（ステップ１３２）、そして図３Ｃに示す通りスクリーン３−２に心電図トラックを表示する。
【０２３１】
次に、患者は、心電図の臨床的パラメータの測定を行わない（ステップ１３３，１３４）。
【０２３２】
救急モードで動作する電子システム１の第二動作を、再び図１、図３Ａ、図４Ａ、図４Ｂおよび図４Ｃを参照して、説明する。
【０２３３】
第一動作モードと同じ前提であるが、
後側カメラ３−１が用いられ、
患者は家族の者によって助けられ、
その家族の者が患者の心電図を実行する、したがって、スマートフォン３のユーザは家族の者である
という違いがある。
【０２３４】
初期の瞬間ｔ１０において、患者が心臓血管症状を検出し、胸部を露出し、スマートフォン３上の第一ソフトウェア・アプリケーションを起動させる。
【０２３５】
そして、家族の者が、救急動作モードを選択し（ステップ１０２）、後側カメラ３−１を選択して、患者の症状を入力する（ステップ１４０）。
【０２３６】
ｔ１１（ｔ１０以降の）とｔ１２との間（ｔ１２は含まず）の時点における動作は、時点ｔ６および時点ｔ８に関して先に説明した動作と同様である、つまり、フローチャート１００のステップ１４１，１４２，１４３，１４４，１４５，１４７，１４８，１４９が実行される。
【０２３７】
時点ｔ１２（ｔ１１以降の）に、スマートフォン３は、心電図の臨床的パラメータの自動測定を実行し（ステップ１５０）、そして心電図トラック（また測定されたそれぞれの臨床的パラメータの値）を医療センタに移動無線通信ネットワークを介して送信する（ステップ１５１）。
【０２３８】
さらに、スマートフォン３の処理ユニット３−３は、心電図のトラックの二つの連続するＲ波の間の距離の測定を行い、そして心臓異常があることを検出する（ステップ１５３、そしてステップ１５３からステップ１５４へ移行）。特に、患者の心臓の心循環器系停止の発生が検出される。
【０２３９】
ｔ１３（ｔ１２以降の）とｔ１４との間（ｔ１４は含まず）の時点において、スマートフォン３は、ステップ１５４，１５５，１５６，１５７を実行し、そして、スクリーン３−２がまず、心肺蘇生法手順を行う目的で、手を置くべき位置を示す患者の胸部の画像を表示し、その後心肺蘇生法手順を案内するビデオを表示する。
【０２４０】
家族の者は、患者の胸部上のスクリーン３−２に示された位置に手を置き、そしてスクリーン３−２のビデオの指示に従って胸骨への圧迫を次々と行うよう心肺蘇生法手順を実行する。
【０２４１】
時点ｔ１４（ｔ１３以降の）に、患者の心臓鼓動が再開され、こうして、患者が救われる。
【０２４２】
また第一面では、本発明の目的は心電図の取得を制御する方法を提供することにある。前記方法は、ポータブル電子デバイス２の制御ユニット上で実行される。
【０２４３】
本方法は、
ａ）第一電極、第二電極および第三電極がそれぞれ人体の一部分に配置されている点における人間の心臓の活動によって皮膚上に生成される電流を表している第一検出電気信号、第二検出電気信号および第三検出電気信号を生成する工程と、
ｂ）第二検出電気信号Ｓ２＿ｒと第一検出電気信号Ｓ１＿ｒとの間の第一電位差と等しい第一リードＤＩを計算する工程と、
ｃ）第三検出電気信号Ｓ３＿ｒと第一検出電気信号Ｓ１＿ｒとの間の第二電位差と等しい第二リードＤＩＩを計算する工程と、
ｄ）第三検出電気信号Ｓ３＿ｒと第二検出電気信号Ｓ２＿ｒとの間の第三電位差と等しい第三リードＤＩＩＩを計算する工程と、
ｅ）第二電位差と第一電位差との間の差と等しい差を計算する工程と、
ｆ）計算された差と第三電位差との間の差の絶対値が許容値より小さいか否かを検証する工程と、
ｇ）計算された差と第三電位差との間の差の絶対値が許容値より小さいと検証された場合には、第一電極、第二電極および第三電極の配置が正しいことを検出する工程と、
ｈ）計算された差と第三電位差との間の差の絶対値が許容値より小さいとは検証されなかった場合には、第一電極、第二電極および第三電極のうち少なくとも一つの電極の配置が正しくないこと検出する工程と、
を含む。
【０２４４】
また本発明は、少なくとも一つのコンピュータ上で実行される場合、第一の面にかかる方法の工程ｂ）〜ｈ）を実行するよう構成されるソフトウェアコード部分を含むコンピュータ・プログラムを提供することも目的とする。
【０２４５】
また第二面では、本発明の目的は心電図の取得を制御する方法を提供することにある。前記方法は、モバイル電子デバイス３の制御ユニット上で実行される。
【０２４６】
本方法は、
ａ）人体の一部分を表す複数のリアルタイム画像を受信する工程と、
ｂ）前記複数の画像において人体の一部分の特徴を特定する工程と、
ｃ）特定された特徴の関数として、第一電極、第二電極および第三電極を貼り付ける人体の一部分の位置を計算する工程と、
ｄ）人体の前記一部分を表すとともに、第一電極、第二電極および第三電極を貼り付ける位置をそれぞれ表す第一位置決めマークＡ１、第二位置決めマークＡ２および第三位置決めマークＡ３をさらに含むリアルタイム画像を表示する工程と、
を含む。
【０２４７】
好ましくは、第二の面の方法では、
工程ａ）は、人体の両肩、胸部、腹部および骨盤を表す複数のリアルタイム画像を受信する工程を含み、
工程ｂ）は、前記複数の画像の少なくとも一部において両肩の位置を特定する工程を含み、
工程ｃ）は、
ｃ１）前記複数の画像の少なくとも一部の関数として両肩の幅ｘを計算する工程と、
ｃ２）両肩の幅ｘと第一パラメータｋの値との関数として、第一位置決め領域と右肩の端部との間および第二位置決め領域と左肩の端部との間の第一距離ｙ１を計算する工程と、
ｃ３）骨盤の幅ｚを計算する工程と、
ｃ４）骨盤の幅ｚと第二パラメータｒの値との関数として、第三位置決め領域と左側骨盤の端部との間の第二距離ｔ１を計算する工程と、
ｃ５）両肩の幅ｘの半分を中心としたある範囲内に含まれる値と等しい第三位置決め領域と第一位置決め領域との間の第三距離ｈを計算する工程と、
を含む。
【０２４８】
工程ｄ）は、人体の少なくとも胸部を表すリアルタイム画像を表示する工程を含み、さらに、
左肩の近傍の胸部に位置しているとともに第一電極２−１を貼り付ける第一位置決め領域Ａ１で構成され、第一距離によって特定される位置を含んでいる第一位置決めマークと、
右肩の近傍の胸部に位置しているとともに第二電極２−２を貼り付ける第二位置決め領域Ａ２で構成され、第一距離によって特定される位置を含んでいる第二位置決めマークと、
左脚の近傍の腹部に位置しているとともに第三電極（２−３）を貼り付ける第三位置決め領域Ａ３で構成され、第三距離によって、そして第四距離によって特定される位置を含んでいる第三位置決めマークと、
を表示する。
【０２４９】
また本発明は、少なくとも一つのコンピュータ上で実行される場合、第二の面にかかる方法の工程を実行するよう構成されるソフトウェアコード部分を含むコンピュータ・プログラムを提供することも目的とする。
【０２５０】
また本発明は、心電図の取得を制御するポータブル電子デバイス２を提供することも目的とする。
【０２５１】
ポータブル電子デバイスは、さらに、
それぞれの点において人間の心臓の活動によって皮膚上に生成される電流をそれぞれ表している第一検出電気信号Ｓ１＿ｒ、第二検出電気信号Ｓ２＿ｒおよび第三検出電気信号Ｓ３＿ｒを生成するように構成される第一電極２−１、第二電極２−２および第三電極２−３であって、第一電極、第二電極および第三電極が人体の前記一部分に配置されている第一電極２−１、第二電極２−２および第三電極２−３と、
短距離無線信号のトランシーバー２−５と、
トランシーバー２−５と、第一電極２−１、第二電極２−２および第三電極２−３と、に接続される処理ユニット２−６と、
を備える。
【０２５２】
ポータブル電子デバイスの処理ユニット２−６は、第一電極、第二電極および第三電極に対する配置を検証するためのモジュール２−６．１を備えており、前記電極配置の検証モジュールが
第一電極、第二電極および第三電極によってそれぞれ生成される第一検出電気信号、第二検出電気信号および第三検出電気信号を受信し、
第二検出電気信号Ｓ２＿ｒと第一検出電気検知信号Ｓ１＿ｒとの間の第一電位差と等しい第一リードＤＩを計算し、
第三検出電気信号Ｓ３＿ｒと第一検出電気信号Ｓ１＿ｒとの間の第二電位差と等しい第二リードＤＩＩを計算し、
第三検出電気信号Ｓ３＿ｒと第二検出電気信号Ｓ２＿ｒとの間の第三電位差と等しい第三リードＤＩＩＩを計算し、
第二電位差と第一電位差との間の差と等しい差を計算し、
前記計算された差と前記第三電位差との間の差の絶対値が許容値より低いか否かを検証し、
計算された差と第三電位差との間の差の絶対値が許容値より低いと検証された場合には、第一電極、第二電極および第三電極の配置が正しいことを示す位置決め検証信号Ｓ＿ｖ＿ｐｓを生成し、
計算された差と第三電位差との間の差の絶対値が許容値より低いとは検証されなかった場合には、第一電極から第三電極のうち少なくとも一つの電極の配置が正しくないことを示す位置決め検証信号Ｓ＿ｖ＿ｐｓを生成する
よう構成される。
【０２５３】
ポータブル電子デバイス２のトランシーバー２−５は、位置決め検証信号を受信し、そこから第一電極、第二電極および第三電極の配置が正しいことを示すまたは第一電極、第二電極および第三電極のうち少なくとも一つの電極の配置が正しくないことを示す情報を伝達する短距離無線信号Ｓ１＿ｓ＿ｒｄを生成するよう、構成されている。
【０２５４】
また本発明は、モバイル電子デバイス３に、特に心電図の取得を制御するためのスマートフォンに関する。
【０２５５】
ポータブル電子デバイスは、さらに、
人体の一部分のリアルタイム画像を取得するための光学デバイス３−１と、
スクリーン３−２と、
光学デバイスとスクリーンとに接続される処理ユニット３−３と、
を備える。
【０２５６】
モバイル電子デバイスの処理ユニット３−３は、第一電極、第二電極および第三電極に対する電極配置案内モジュール３−３．１を備えており、電極配置案内モジュールが
人体の一部分を表す複数のリアルタイム画像を受信し、
前記複数の画像の少なくとも一部において人体の一部分の特徴を特定し、
特定された特徴の関数として、第一電極、第二電極および第三電極を貼り付ける人体の一部分の位置を計算し、
第一電極、第二電極および第三電極を貼り付ける計算された位置を示す情報を伝達する駆動信号Ｓ＿ｐｌを生成する
よう構成される。
【０２５７】
さらに、スクリーン３−２は、
駆動信号Ｓ＿ｐｌを受信し、
人体の前記一部分を表すとともに、第一電極、第二電極および第三電極を貼り付ける位置をそれぞれ表す第一位置決めマークＡ１、第二位置決めマークＡ２および第三位置決めマークＡ３をさらに含むリアルタイム画像を表示する
よう構成される。
【先行技術文献】
【特許文献】
【０２５８】
【特許文献１】米国特許第８５０９８８２号明細書
【特許文献２】墨国特許出願公開第２０１３００１００１号明細書
【特許文献３】米国特許第８００５５３１号明細書
【特許文献４】米国特許第６２８２４４０号明細書
【非特許文献】
【０２５９】
【非特許文献１】グリーンら「米国心臓学ジャーナル」２００４年第９４巻
【非特許文献２】ミーニーＰら「アメリカ心臓協会（ＡＨＡ）コンセンサスステートメント：心肺蘇生の質：院内および院外における心蘇生転帰の改善、サーキュレーション」２０１３年第１２８巻
【図１】
0006758327.tif 000002
【図２】
0006758327.tif 000003
【図３Ａ】
0006758327.tif 000004
【図３Ｂ】
0006758327.tif 000005
【図３Ｃ】
0006758327.tif 000006
【図４Ａ】
0006758327.tif 000007
【図４Ｂ】
0006758327.tif 000008
【図４Ｃ】
0006758327.tif 000009
【図４Ｄ】
0006758327.tif 000010